(57)【要約】【課題】ＩＣカードリーダライタがＩＣカードとの通信ができない場合であっても、当事者を困惑させてしまうことのないＩＣカードリーダライタを提供する。【解決手段】非接触式のＩＣカードとの間で通信するＩＣカードリーダライタであって、ＩＣカードが通信エリア内に存在するか否かを判定する判定手段と、判定手段がＩＣカードが通信エリア内に存在しないと判定した場合には、ＩＣカードをＩＣカードリーダライタにかざす旨の指示案内をし、判定手段がＩＣカードが通信エリア内に存在すると判定した場合には、ＩＣカードがＩＣリーダライタと通信するための機能が無効となっていないことの確認を促す旨の確認案内をする出力制御手段と、を備える。【選択図】図１
2010282552.tif 000002
【特許請求の範囲】
【請求項１】
非接触式のＩＣカードとの間で通信するＩＣカードリーダライタであって、
前記ＩＣカードが通信エリア内に存在するか否かを判定する判定手段と、
前記判定手段が前記ＩＣカードが通信エリア内に存在しないと判定した場合には、前記ＩＣカードを前記ＩＣカードリーダライタにかざす旨の指示案内をし、前記判定手段が前記ＩＣカードが通信エリア内に存在すると判定した場合には、前記ＩＣカードが前記ＩＣリーダライタと通信するための機能が無効となっていないことの確認を促す旨の確認案内をする出力制御手段と、
を備えることを特徴とするＩＣカードリーダライタ。
【請求項２】
前記指示案内または前記確認案内を表示する表示手段をさらに備え、
前記出力制御手段は、前記表示手段に前記指示案内または前記確認案内を表示する、
ことを特徴とする請求項１に記載のＩＣカードリーダライタ。
【請求項３】
前記ＩＣカードリーダライタは、前記ＩＣカードリーダライタに対して前記ＩＣカードに対する所定の処理の実行を指示し、または前記ＩＣカードリーダライタから前記所定の処理の実行についての結果を受ける制御装置に接続され、
前記出力制御手段は、前記判定手段が前記制御装置からの前記指示に応じて前記ＩＣカードが通信エリア内に存在するか否かを判定した場合に、前記指示案内または前記確認案内を前記制御装置に出力する、
ことを特徴とする請求項１または２に記載のＩＣカードリーダライタ。
【発明の詳細な説明】
【技術分野】
【０００１】
本発明は、ＩＣ（Integrated  Circuit）カードリーダライタに関し、特に、非接触でＩＣカードとの通信を行うＩＣカードリーダライタに関する。
【背景技術】
【０００２】
現在広く流通しているＩＳＯ／ＩＥＣ１４４４３タイプＡやタイプＢ、ＦｅｌｉＣａ等の非接触式のＩＣカードは、免許証や会員証の他、電子乗車券やプリペイド方式の電子マネー、サインレスのクレジットカード等の種々の決済用途に利用されている。
【０００３】
このような非接触式のＩＣカードは、小銭を持ち歩かなくて済むことや、決済時間が短いなど、利用者にとって極めて利便性が高い。また最近では、非接触式のＩＣカードと同等の機能を携帯電話に搭載し、ＩＣカードのみを個別に持ち歩かなくても済むように、さらに利便性が高められている。
【０００４】
このように利便性が高まる一方、利用者が非接触式のＩＣカードを紛失し、見ず知らずの者がそのＩＣカードを拾得した場合、利用者に無断で電子マネー等による決済が行われてしまう危険性がある。このような危険性を防ぐため、非接触式のＩＣカードと同等の機能を搭載した携帯電話には、他人の不正使用を防ぐためにその機能を無効にする設定が可能なものがある。
【０００５】
ところで、一般的なＩＣカードリーダライタは、通信範囲内に非接触式のＩＣカードがあるか否かを検出することができるようになっている。例えば、特許文献１には、ＲＦキャリア信号の受信レベルと所定値とを比較することにより、非接触式のＩＣカードが通信エリア内に存在するか否かを判定している。
【先行技術文献】
【特許文献】
【０００６】
【特許文献１】特開２００６−９９８１０号公報
【発明の概要】
【発明が解決しようとする課題】
【０００７】
しかしながら、特許文献１に記載された技術では、ＲＦキャリア信号の受信レベルにより、ＩＣカードがＩＣカードリーダライタの通信エリア内に存在するか否かを判定しているだけであり、ＩＣカードリーダライタがＩＣカードとの通信ができない場合、その理由がＩＣカードが通信エリア内に存在しないためなのか、ＩＣカードの機能が無効であるためなのか判断できない。
【０００８】
従って、例えば、決済処理等のＩＣカードリーダライタで行われるべき処理がループする等して正しく実行されず、ＩＣカードリーダライタの故障であるかのような誤解を与えてしまう場合があった。すなわち、ＩＣカードリーダライタがＩＣカードとの通信ができない場合には外部からその原因を知ることができず、当事者を困惑させてしまうという問題があった。
【０００９】
本発明は、上記に鑑みてなされたものであって、ＩＣカードリーダライタがＩＣカードとの通信ができない場合であっても、当事者を困惑させてしまうことのないＩＣカードリーダライタを提供することを目的とする。
【課題を解決するための手段】
【００１０】
上述した目的を達成するために、本発明にかかるＩＣカードリーダライタは、非接触式のＩＣカードとの間で通信するＩＣカードリーダライタであって、前記ＩＣカードが通信エリア内に存在するか否かを判定する判定手段と、前記判定手段が前記ＩＣカードが通信エリア内に存在しないと判定した場合には、前記ＩＣカードを前記ＩＣカードリーダライタにかざす旨の指示案内をし、前記判定手段が前記ＩＣカードが通信エリア内に存在すると判定した場合には、前記ＩＣカードが前記ＩＣリーダライタと通信するための機能が無効となっていないことの確認を促す旨の確認案内をする出力制御手段と、を備えることを特徴とする。
【発明の効果】
【００１１】
本発明によれば、ＩＣカードリーダライタがＩＣカードとの通信ができない場合であっても、当事者を困惑させてしまうことのないＩＣカードリーダライタを提供することができる。
【図面の簡単な説明】
【００１２】
【図１】本実施形態にかかるＩＣカードリーダライタの物理的な構成を示す図である。
【図２】ＩＣカードリーダライタが制御装置に接続され、携帯電話と通信する様子を示す図である。
【図３】第１の案内が指示された場合の例を示す図である。
【図４】第２の案内が指示された場合の例を示す図である。
【図５】第３の案内が指示された場合の例を示す図である。
【図６】第４の案内が指示された場合の例を示す図である。
【図７】ＩＣカードリーダライタが行う処理の手順を示すフローチャートである。
【発明を実施するための形態】
【００１３】
以下に添付図面を参照して、この発明にかかるＩＣカードリーダライタの実施の形態を詳細に説明する。
【００１４】
図１は、本実施形態にかかるＩＣカードリーダライタ１の物理的な構成を示す図である。図１に示すように、ＩＣカードリーダライタ１は、ＣＰＵ（Central  Processing  Unit）３と、アンテナ４と、送信回路部５と、カード検波回路部６と、電圧検出回路部７と、送受信回路部９と、表示部１０と、音声部１１と、記憶部１２と、を含んで構成されている。
【００１５】
なお、カード検波回路部６と、電圧検出回路部７とは、非接触式のＩＣカードの有無を検出するためのＩＣカード検出部８を構成している。また、図１には、ＩＣカードリーダライタ１と通信を行う非接触式のＩＣカードの機能を備えた携帯電話２を合わせて示している。
【００１６】
以下の説明では、ＩＣカードリーダライタ１は、ＩＣカードリーダライタ１に決済処理を行わせるための制御装置（例えば、コンビニエンスストア等のＰＯＳ（Point  of  sale  system）端末）からの指示に応じて各種の処理が行われるものとして説明している。図２は、ＩＣカードリーダライタ１がこのような制御装置１３に接続され、携帯電話２と通信する様子を示す図である。
【００１７】
図２に示すように、制御装置１３は、ＩＣカードリーダライタ１との通信するためのネットワークボード等の通信部１３１と、制御装置１３の各部、キーボード等の入力部やディスプレイ等の表示部（いずれも不図示）の動作を制御する制御部１３２と、を含んで構成されている。このように、ＩＣカードリーダライタ１は、ケーブルＣで接続された制御装置１３の制御部１３１からの指示に応じて携帯電話２との間で、例えば、決済処理のための通信を行う。続いて図１に戻り、ＣＰＵ３について説明する。
【００１８】
ＣＰＵ３は、上述した各種の回路部や、ＩＣカードリーダライタ１の各部を制御するものである。ＣＰＵ３は、判定部３１と、出力制御部３２と、を含んで構成されている。
【００１９】
判定部３１は、後述する出力制御部３２が制御装置１３から決済処理を行う旨の指示を受け、携帯電話２に対して決済処理を行う際のＩＣカード機能を検出するためのコマンドを発行すると、携帯電話２からの応答があるか否かを判定する。
【００２０】
そして、判定部３１は、携帯電話２からの応答がないと判定した場合、さらに、ＩＣカードリーダライタ１が携帯電話２に対するコマンドを再発行（リトライ）した回数が、所定の回数を超えているか否かを判定する。一方、判定部３１は、携帯電話２からの応答があると判定した場合、携帯電話２との間で決済処理を行う。
【００２１】
また、判定部３１は、コマンドを再発行した回数が所定の回数を超えていないと判定した場合は、所定の回数になるまで、コマンドを再発行し続ける。一方、コマンドを再発行した回数が所定の回数を超えていると判定した場合、判定部３１は、携帯電話２がＩＣカードリーダライタ１の通信エリア内に存在しているか否かを判定する。
【００２２】
そして、判定部３１は、携帯電話２がＩＣカードリーダライタ１の通信エリア内にないと判定した場合、制御装置１３の操作者に携帯電話２をＩＣカードリーダライタ１にかざすような案内（第１の案内）をさせる指示を出力するとともに、後述する表示部１０に、利用者に対する案内（第２の案内）を出力するための指示を出力する。以下では、第１の案内および第２の案内を総称して指示案内と呼ぶこともある。
【００２３】
図３は、上述した第１の案内が指示された場合の例を示す図である。図３に示すように、第１の案内は、制御装置１３の操作者に対して、ＩＣカードリーダライタ１に対して携帯電話２がかざされていることの確認を促すメッセージ、および利用者に対して携帯電話２をかざすように案内する旨のメッセージを含んでいる。
【００２４】
また、図４は、上述した第２の案内が指示された場合の例を示す図である。図４に示すように、第２の案内は、利用者に対して携帯電話２をＩＣカードリーダライタ１にかざすように案内する旨のメッセージを含んでいる。
【００２５】
一方、判定部３１が、携帯電話２がＩＣカードリーダライタ１の通信エリア内にあると判定した場合、制御装置１３の操作者に携帯電話２のＩＣカード機能が無効になっていないことの確認を利用者に促す案内（第３の案内）をさせる指示を出力するとともに、後述する表示部１０に、利用者に対する案内（第４の案内）を出力するための指示を出力する。以下では、第３の案内および第４の案内を総称して確認案内と呼ぶこともある。
【００２６】
図５は、上述した第３の案内が指示された場合の例を示す図である。図５に示すように、第３の案内は、制御装置１３の操作者に対して、携帯電話２のＩＣカード機能が無効になっているか否かの確認を促すメッセージを含んでいる。
【００２７】
また、図６は、上述した第４の案内が指示された場合の例を示す図である。図６に示すように、第４の案内は、利用者に対して携帯電話２のＩＣカード機能が無効になっていないか確認を促す旨のメッセージを含んでいる。続いて、図１に戻り、出力制御部３２について説明する。
【００２８】
出力制御部３２は、制御装置１３から決済処理を行う旨の指示を受けた場合に、携帯電話２に対して決済処理を行う際のＩＣカード機能を検出するためのコマンドを発行する。
【００２９】
また、出力制御部３２は、判定部３１が第１の案内をさせる指示を出力すると、その指示に従って第１の案内を制御装置１３の表示部（不図示）に表示させるためのコマンドを生成し、生成したコマンドを制御装置１３に出力する。その後、制御装置１３の制御部１３１は、このコマンドに従って、第１の案内を表示部（不図示）に表示させる。
【００３０】
さらに、出力制御部３２は、判定部３１から出力された第２の案内を出力するための指示に従って、表示部１０に第２の案内を出力させる。
【００３１】
出力制御部３２は、判定部３１が第３の案内をさせる指示を出力すると、その指示に従って第３の案内を制御装置１３の表示部（不図示）に表示させるためのコマンドを生成し、生成したコマンドを制御装置１３に出力する。その後、制御装置１３の制御部１３１は、このコマンドに従って、第３の案内を表示部（不図示）に表示させる。
【００３２】
さらに、出力制御部３２は、判定部３１から出力された第４の案内を出力するための指示に従って、表示部１０に第４の案内を出力させる。続いて、アンテナ４について説明する。
【００３３】
アンテナ４は、後述する送信回路部５およびＩＣカード検出部８と携帯電話２との間の通信を行ったり、携帯電話２のＩＣカード機能を起動させるための電波を発信するものである。そして、携帯電話２内部のアンテナ（不図示）がアンテナ４からの電波を受信し、携帯電話２のＩＣカード機能の処理を起動させる。
【００３４】
送信回路部５は、出力制御部３２から出力されたコマンドや、携帯電話２との間の決済処理に必要な種々のデータを変調し、変調したこれらのデータを出力アンプ（不図示）によって増幅してアンテナ４に出力する。
【００３５】
カード検波回路部６は、アンテナ４が受信した携帯電話２において負荷変調されたデータをＩＣカードリーダライタ２が読み取り可能な形式に変換するものである。
【００３６】
電圧検出回路部７は、携帯電話２がＩＣカードリーダライタ１にかざされた場合に変化するインピーダンスによる電圧を検出するものである。なお、上述したように、カード検波回路部６と電圧検出回路部７とは、ＩＣカード検出部８として１つのユニットにより形成されている。
【００３７】
送受信回路部９は、ＩＣカードリーダライタ１と制御装置１３とを接続し、両者の間の種々のデータの受け渡しを行うためのドライバやレシーバ等である。
【００３８】
表示部１０は、例えば、小型の液晶ディスプレイから構成され、上述した第２の案内や第４の案内を利用者に対して表示するものである。表示部１０は、決済処理に異常が生じた場合等には、その旨を表示することも可能である。
【００３９】
音声部１１は、例えば、小型のスピーカから構成され、利用者に対して決済処理の開始や終了等のメッセージを知らせるものである。
【００４０】
記憶部１２は、メモリ等の記憶媒体から構成され、上述した各部の制御や決済処理を行うためのプログラム、あるいは出力制御部３２がコマンドを発行した場合に、リトライをするか否かの基準となる値（回数）等の各種のデータを記憶するものである。
【００４１】
続いて、上述したＩＣカードリーダライタ１で行われる処理について説明する。
【００４２】
図７は、ＩＣカードリーダライタ１が行う処理の手順を示すフローチャートである。以下の説明では、制御装置１３はＩＣカードリーダライタ１に対して決済処理を行う旨の指示を行い、携帯電話２はＩＣカード機能が無効となるように設定されているものとする。
【００４３】
図７に示すように、出力制御部３２は、制御装置１３から決済処理を行う旨の指示を受けると、携帯電話２に対して決済処理を行う際のＩＣカード機能を検出するためのコマンドを発行する（ステップＳ１０１）。
【００４４】
判定部３１は、出力制御部３２が発行したコマンドに対して携帯電話２からの応答があるか否かを判定する（ステップＳ１０２）。そして、出力制御部３２が発行したコマンドに対して携帯電話２からの応答がないと判定した場合（ステップＳ１０２；Ｎｏ）、さらに、ＩＣカードリーダライタ１が携帯電話２に対するコマンドを再発行した回数が、所定の回数を超えているか否かを判定する（ステップＳ１０３）。
【００４５】
一方、判定部３１は、携帯電話２からの応答があると判定した場合（ステップＳ１０２；Ｙｅｓ）、携帯電話２との間で決済処理を行う（ステップＳ１０９）。
【００４６】
その後、判定部３１は、コマンドを再発行した回数が所定の回数を超えていないと判定した場合（ステップＳ１０３；Ｎｏ）は、ステップＳ１０１に戻り、所定の回数になるまでコマンドを再発行し続ける。
【００４７】
一方、コマンドを再発行した回数が所定の回数を超えていると判定した場合（ステップＳ１０３；Ｙｅｓ）、判定部３１は、さらに、携帯電話２がＩＣカードリーダライタ１の通信エリア内に存在しているか否かを判定する（ステップＳ１０４）。
【００４８】
そして、判定部３１は、携帯電話２がＩＣカードリーダライタ１の通信エリア内にないと判定した場合（ステップＳ１０４；Ｎｏ）、第１の案内をさせる指示を出力して出力制御部３２がその旨のコマンドを生成し、生成したコマンドを制御装置１３に出力するとともに（ステップＳ１０５）、第２の案内を出力するための指示を出力し、出力制御部３２がその指示に従って第２の案内を表示部１０に表示させる（ステップＳ１０６）。
【００４９】
一方、判定部３１は、携帯電話２がＩＣカードリーダライタ１の通信エリア内にあると判定した場合（ステップＳ１０４；Ｙｅｓ）、第３の案内をさせる指示を出力して出力制御部３２がその旨のコマンドを生成し、生成したコマンドを制御装置１３に出力するとともに（ステップＳ１０７）、第４の案内を出力するための指示を出力し、出力制御部３２がその指示に従って第４の案内を表示部１０に表示させる（ステップＳ１０８）。
【００５０】
そして、ステップＳ１０６またはＳ１０８が終了するとステップＳ１０１に戻り、ステップＳ１０９の処理が終了すると、本実施の形態にかかるすべての処理が終了する。
【００５１】
このように、非接触式のＩＣカードとの間で通信するＩＣカードリーダライタ１において、判定部３１がＩＣカード（携帯電話２）が通信エリア内に存在するか否かを判定し、出力制御部３２が、判定部３１がＩＣカード（携帯電話２）が通信エリア内に存在しないと判定した場合には、携帯電話２をＩＣカードリーダライタ１にかざす旨の指示案内をし、判定部３１が携帯電話２が通信エリア内に存在すると判定した場合には、携帯電話２がＩＣリーダライタ１と通信するための機能が無効となっていないことの確認を促す旨の確認案内をするので、ＩＣカードリーダライタがＩＣカードとの通信ができない場合であっても、当事者を困惑させてしまうことがなくなる。
【００５２】
本発明は、上述した実施の形態に限定されず、種々の変形が可能である。例えば、上述した実施の形態においては、判定部３１が、携帯電話２がＩＣカードリーダライタ１の通信エリア内にあるか否かを判定した場合、出力制御部３２によって第１の案内等を表示させることとした。
【００５３】
しかし、第１の案内等を表示部１０や制御装置１３の表示部に表示させるとともに、第１の案内等に対応する音声を音声部１１から出力させることとしてもよい。この場合、第１の案内等の画面と音声とは記憶部１２等の記憶媒体にあらかじめ対応付けて記憶させておくことが必要となる。
【００５４】
また、上述した実施の形態においては、第１の案内および第３の案内を制御装置１３の表示部に表示させることとしたが、文字サイズを小さくする等してＩＣカードリーダライタ１の表示部１０にこれらを表示させることも可能である。
【００５５】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００５６】
１      非接触ＩＣカードリーダライタ
２      非接触ＩＣカード機能搭載携帯電話
３      ＣＰＵ
３１    判定部
３２    出力制御部
４      アンテナ
５      送信回路部
６      カード検波回路部
７      電圧検出回路部
８      非接触ＩＣカード有無検出部
９      送受信回路部
１０    表示部
１１    音声部
１２    記憶部
１３    制御装置
１３１  通信部
１３２  制御部。
【図１】
2010282552.tif 000003
【図２】
2010282552.tif 000004
【図３】
2010282552.tif 000005
【図４】
2010282552.tif 000006
【図５】
2010282552.tif 000007
【図６】
2010282552.tif 000008
【図７】
2010282552.tif 000009